(57)【要約】      （修正有）【課題】ファイル収納時に邪魔になったり、外観が損なわれたり、特別な収納スペースを必要とせず、ファイルを収納したときと、引き出したり持ち運んだりするときに応じて着脱する必要もなく、安定して掴むことが可能な取っ手付きファイルを提供する。【解決手段】ファイル２００の背表紙２００ａに取っ手３００を備えた取っ手付きファイルであって、取っ手は、手で掴むことが可能な把持部材３２０と、背表紙に固定され、把持部材が摺動する案内溝を備えた基部材３１０と、を備える。把持部材の両端が案内溝に沿って互いに接近する方向に摺動することにより、把持部材が基部材から突出した突出状態と、把持部材の両端が案内溝に沿って互いに離隔する方向に摺動することにより、把持部材が基部材に収納される収納状態とを切替えられる。【選択図】図１
0003185847.tif 000002
【実用新案登録請求の範囲】
【請求項１】
ファイルの背表紙に取っ手を備えた取っ手付きファイルであって、
前記取っ手は、手で掴むことが可能な把持部材と、前記背表紙に固定され、前記把持部材が摺動する案内溝を備えた基部材と、を備え、
前記把持部材は、
前記把持部材の両端が前記案内溝に沿って互いに接近する方向に摺動することにより、前記把持部材が前記基部材から突出した突出状態と、
前記把持部材の両端が前記案内溝に沿って互いに離隔する方向に摺動することにより、前記把持部材が前記基部材に収納される収納状態との間で、状態が切替えられることを特徴とする取っ手付きファイル。
【請求項２】
前記案内溝には、前記把持部材と係合して、前記把持部材を前記突出状態又は前記収納状態に保持する第１係合部を有することを特徴とする、請求項１記載の取っ手付きファイル。
【請求項３】
前記把持部材が突出状態のときに、前記把持部材を互いに接近させる方向に押圧することにより前記把持部材が前記第１係合部に係合し、
前記把持部材には、前記押圧時の滑りを防止する滑り止めが設けられていることを特徴とする請求項２記載の取っ手付きファイル。
【請求項４】
前記把持部材は、前記案内溝と係合して、前記把持部材を前記突出状態又は前記収納状態に保持する第２係合部を有することを特徴とする、請求項１〜３のいずれか１項に記載の取っ手付きファイル。
【請求項５】
前記基部材は、前記把持部材と係合して、前記把持部材を前記収納状態に保持する第３係合部を有することを特徴とする請求項１〜４のいずれか１項に記載の取っ手付きファイル。
【請求項６】
前記基部材と前記収納状態の前記把持部材との間には隙間が形成されており、前記基部材には、該基部材の縁部から前記隙間に向かって傾斜する傾斜面が形成されている、ことを特徴とする請求項１〜５のいずれか１項に記載の取っ手付きファイル。
【請求項７】
前記把持部材は、表面に貼付物を貼り付け可能な平面状の貼付面と、該貼付面の両側縁部に、該貼付面に対して略垂直に突出する突出縁部と、を有していることを特徴とする請求項１〜６のいずれか１項に記載の取っ手付きファイル。
【請求項８】
前記基部材は、前記背表紙の裏面に設けられる収納物を保持する内金具と一体に固定されることを特徴とする請求項１〜７のいずれか１項に記載の取っ手付きファイル。
【考案の詳細な説明】
【技術分野】
【０００１】
本考案は、ファイルの背表紙に取っ手を備えた取っ手付きファイルに関する。
【背景技術】
【０００２】
ファイルの背表紙に取っ手を備えたものとしては、例えば、特許文献１に示されるものがある。
これに示されるものは、ファイルの背表紙部分に取っ手、舌あるいは紐を取付けたり、背表紙部分に切欠きや穴を設けたりしたものである。
取っ手や舌は、背表紙部分に設けられており、これら取っ手や舌を手で持って、収納場所（棚やひき出し等）からファイルを取り出すとともに、取っ手や舌を持ったまま持ち運ぶように使用される。
また、紐は、背表紙の近くに開けられた穴に必要に応じて紐を通すことにより、着脱可能に使用できるようになっている。紐は、必要なときにファイルに取付けて、紐を持って収納されている場所から取出すとともに、紐を持ったまま持ち運ぶように使用される。また、ファイルを収納場所に収納した後などの、紐が不要になった場合には、これを取り外すことにより、紐が邪魔になることを防止するようになっている。
切欠きや穴は、背表紙部分に直接形成されており、その切欠きや穴に指を引掛けて、収納場所（棚やひき出し等）からファイルを引き出すとともに、切欠きや穴に指を引掛けたまま持ち運ぶように使用される。
【先行技術文献】
【特許文献】
【０００３】
【特許文献１】特開２００４−５８６３６号公報
【考案の概要】
【考案が解決しようとする課題】
【０００４】
ところで、背表紙部分に取っ手や舌を設けたものでは、収納場所に収納されているファイルの背表紙部分から取っ手や舌が突出するため、これらが邪魔になったり、外観が損なわれたりする。また、ファイルの収納場所に、取っ手や舌を収納するためのスペースも必要になるため、収納に必要なスペースが大きくなるという問題もあった。
また、背表紙の近くの穴に紐を通して取っ手とするものでは、取っ手を持って収納場所からファイルを引き出したり、持ち運んだりするときのように、取っ手が必要なときには紐を取り付け、不要なときや邪魔なときは紐を取り外すため、着脱作業が面倒である。
さらに、背表紙部分に直接切欠きや穴を形成したものでは、これらに指を引掛けるだけの構造なので、持ち運びの際に、切欠きや穴から容易に指が抜け出てしまう可能性があり、持ち運びには適さないという問題があった。
そこで、本考案は、このような問題に鑑みてなされたもので、その目的とするところは、ファイルを収納した際にも邪魔になったり、外観が損なわれたり、特別な収納スペースを必要としたりする不都合を解消すること、及び、ファイルを収納したときと、引き出したり持ち運んだりするときと、に応じて着脱する面倒を解消することが可能であるとともに、持ち運びの際に安定して掴むことが可能な取っ手付きファイルを提供することにある。
【課題を解決するための手段】
【０００５】
上記課題を解決するために、本考案によれば、ファイルの背表紙に取っ手を備えた取っ手付きファイルであって、取っ手は、手で掴むことが可能な把持部材と、背表紙に固定され、把持部材が摺動する案内溝を備えた基部材と、を備え、把持部材は、把持部材の両端が案内溝に沿って互いに接近する方向に摺動することにより、把持部材が基部材から突出した突出状態と、把持部材の両端が案内溝に沿って互いに離隔する方向に摺動することにより、把持部材が基部材に収納される収納状態との間で、状態が切替えられる取っ手付きファイルが提供される。
【０００６】
かかる考案によれば、基部材と、基部材に対して突出状態と収納状態との間で状態が切り換えられる把持部材を備えた取っ手をファイルに備えたことで、収納場所からファイルを取り出すときや持ち運ぶときには、把持部材を突出状態にして、把持部材を手で掴むことができる。また、ファイルを収納場所に収納した際には、把持部材を収納状態にすることができる。これにより、把持部材が邪魔になったり、外観が損なわれたりすることが防止されるとともに、把持部材を収納状態にすると、収納に必要なスペースも小さくて済む。また、取っ手を常時背表紙に取付けたままの状態にしておくことができ、着脱する必要がない。
【０００７】
案内溝には、把持部材と係合して、把持部材を突出状態又は収納状態に保持する第１係合部を有するようにしてもよい。これにより、把持部材と案内溝の第１係合部との係合により、ファイルを引き出したり持ち運んだりする際に、把持部材を突出状態に保持したり、あるいは、ファイルを収納場所に収納したり、ファイルを開いて使用したりする際に、把持部材を収納状態に保持することができる。
【０００８】
また、把持部材が突出状態のときに、把持部材を互いに接近させる方向に押圧することにより把持部材が第１係合部に係合し、把持部材には、押圧時の滑りを防止する滑り止めが設けられているようにすることもできる。このように把持部材にすべり止めを設けたことによって、把持部材に突出状態を保持させる際には、把持部材を互いに接近させる方向にすべることなく確実に押圧することができる。
【０００９】
把持部材は、案内溝と係合して、把持部材を突出状態又は収納状態に保持する第２係合部を有するようにしてもよい。これにより、把持部材の第２係合部と案内溝との係合により、ファイルを引き出したり持ち運んだりする際に、把持部材を突出状態に保持したり、あるいは、ファイルを収納場所に収納したり、ファイルを開いて使用したりする際に、把持部材を収納状態に保持することができる。
【００１０】
基部材は、把持部材と係合して、把持部材を収納状態に保持する第３係合部を有するようにしてもよい。これにより、ファイルを収納場所に収納したり、ファイルを開いて使用したりする際に、基部材の第３係合部と把持部材とを係合することにより、把持部材を収納状態に保持することができる。
【００１１】
さらに、基部材と収納状態の把持部材との間には隙間が形成されており、基部材には、該基部材の縁部から隙間に向かって傾斜する傾斜面が形成されているようにしてもよい。これにより、傾斜面に沿って隙間方向に指を移動させることにより、隙間に指を挿入しやすくなり、把持部材を基部材から突出させる方向に引っ張る操作が容易になる。
【００１２】
把持部材は、表面に貼付物を貼り付け可能な平面状の貼付面と、該貼付面の両側縁部に、該貼付面に対して略垂直に突出する突出縁部と、を有しているようにすることができる。一般的に、貼付面に貼り付けられた貼付物は、手や物などが当たることによって周縁部から剥がれていく。一方、把持部材において、貼付面の部分を手で掴んだ際に、貼付面の両側縁部に手が当接する可能性が高い。しかし、貼付面の両側縁部に突出縁部を設けことにより、手は突出縁部に当接することになり、貼付面に貼り付けられた貼付物の両側縁部に当接しない。このため、貼付面に貼り付けられた貼付物の剥がれが防止される。
【００１３】
基部材は、背表紙の裏面に設けられる収納物を保持する内金具と一体に固定されるようにしてもよい。これにより、基部材と内金具とを一体に固定するため、製造工程数を削減することができるとともに、基部材と内金具を共通の部材で固定することが可能であるため、部品点数を削減することができる。
【考案の効果】
【００１４】
本考案によれば、収納場所からファイルを取り出すときや持ち運ぶときには、把持部材を突出状態にすることにより、把持部材を手で掴むことができる。これにより、把持部材を掴んで、収納場所からファイルを引き出したり、持ち運んだりすることできる。また、収納場所にファイルを収納した際には、把持部材を収納状態にすることにより、把持部材の収納場所からの突出を抑えることができる。これにより、把持部材が邪魔になったり、外観が損なわれたりすることが防止される。また、把持部材を収納状態にすると、取っ手全体の背表紙からの突出の高さ寸法が小さくなるため、収納に必要なスペースも小さくて済む。
さらに、本考案によれば、収納場所からファイルを取り出すときや持ち運ぶときなどのように、把持部材を手で掴むことが必要なときには、把持部材を突出状態にし、収納場所にファイルを収納したときや、ファイルを開いたときのように把持部材が不要なときや邪魔なときには、把持部材を収納状態にすることができる。このため、取っ手を常時背表紙に取付けたままの状態にしておくことができ、着脱する必要がない。本考案のその他の効果については、以下の考案を実施するための形態の項でも説明する。
【図面の簡単な説明】
【００１５】
【図１】本考案に係る取っ手付きファイルの斜視図であり、把持部材が収納状態となっている状態を表す。
【図２】本考案に係る取っ手付きファイルの斜視図であり、把持部材が突出状態となっている状態を表す。
【図３】ファイルの内側を表す斜視図である。
【図４】内金具の平面図である。
【図５Ａ】基部材の平面図である。
【図５Ｂ】基部材の側面図である。
【図５Ｃ】基部材の底面図である。
【図５Ｄ】図５ＡのＡ−Ａ断面図である。
【図６Ａ】把持部材の平面図である。
【図６Ｂ】把持部材の側面図である。
【図７Ａ】把持部材が突出状態のときの取っ手の平面図である。
【図７Ｂ】把持部材が収納状態のときの取っ手の平面図である。
【図７Ｃ】把持部材が収納状態のときの取っ手の側面図である。
【考案を実施するための形態】
【００１６】
以下に添付図面を参照しながら、本考案の好適な実施の形態について詳細に説明する。なお、本明細書及び図面において、実質的に同一の機能構成を有する構成要素については、同一の符号を付することにより重複説明を省略する。
【００１７】
本考案の実施の形態に係る取っ手付きファイル１００について、図１〜図４を参照しながら説明する。本実施形態の取っ手付きファイル１００は、ファイル２００と、ファイル２００の背表紙２００ａに取付けられる樹脂製の取っ手３００と、を備える。
【００１８】
（ファイル２００）
ファイル２００は、図３に示すように、背表紙２００ａの裏面２００ｂに図示していない収納物を保持する内金具２１０を備えている。内金具２１０は、図３及び図４に示すように、背表紙２００ａの裏面２００ｂに配置される固定部２１２と、固定部２１２に取付けられる開閉可能な２つのリング２１４と、固定部２１２の長手方向両端部に形成される第１挿通穴２１２ａと、よりなる。前記２つのリング２１４は、収納物に形成される２つの穴にそれぞれ挿通し、収納物を保持するものである。内金具２１０は、各第１挿通穴２１２ａを挿通する鋲２１６によって固定部２１２を裏面２００ｂに固定することによりファイル２００に取り付けられる。
ただし、ファイルの形態は、本実施の形態と同種のリングファイルでリングが３つ以上設けられているものや、パイプ式ファイル、フラットファイル、クリアファイルなど、背表紙を備えたファイルであればいかなるものでもよい。
【００１９】
（取っ手３００）
次に、取っ手３００について、再び、図１及び図２を参照しながら説明する。取っ手３００は、背表紙２００ａに固定される基部材３１０と、手で掴むことが可能な把持部材３２０と、を有する。
【００２０】
（基部材３１０）
基部材３１０は、図５Ａ〜図５Ｄに示すように、長尺状の薄板形状をしており、長手方向中央位置に位置する中央部３１０ａと、中央部３１０ａを挟んでそれぞれ形成される長方形状の開口部３１０ｂと、基部材３１０の裏面に形成される一対の案内溝３１０ｃと、基部材３１０の表面から山形状に突出する山形部３１０ｄと、基部材３１０の両端部にそれぞれ形成される第２挿通穴３１０ｅと、を備える。
【００２１】
中央部３１０ａは中心部の高さ位置が最も低く開口部３１０ｂ側の両縁部３１０ａ−１の高さ位置が最も高くなるように緩やかな円弧状に窪んでおり、基部材３１０の表面には、基部材３１０の縁部から中央部３１０ａに向かって上方に傾斜する誘導部（傾斜面）３１０ｆが形成されている。誘導部３１０ｆは、中央部３１０ａに近づくほど幅が狭くなるように形成された円弧状の形状をしており、指先を中央部３１０ａ方向に誘導する作用を有している。
【００２２】
一対の案内溝３１０ｃは、各開口部３１０ｂの互いに遠い位置にある端部から長方形の長辺の途中位置まで各開口部３１０ｂの長辺の両縁部に沿ってそれぞれ形成されている。各案内溝３１０ｃは、図５Ｃ及び図５Ｄに示すように、これらの長手方向２か所に第１突起（第１係合部）３１０ｃ−１と第２突起（第１係合部）３１０ｃ−２とがそれぞれ形成されている。一対の案内溝３１０ｃの第１突起３１０ｃ−１同士及び第２突起３１０ｃ−２同士は、案内溝３１０ｃの長手方向における同じ位置においてそれぞれ対向配置されて、互いに接近する方向にそれぞれ突出している。
【００２３】
山形部３１０ｄは、各開口部３１０ｂの長辺の両縁部に沿ってそれぞれ形成されており、各山形部３１０ｄの頂には、図５Ｃ及び図５Ｄに示すように、開口部３１０ｂを挟んで互いに対向する山形部３１０ｄ方向へそれぞれ突出する第３突起（第３係合部）３１０ｄ−１がそれぞれ形成されている。
【００２４】
各第２挿通穴３１０ｅは、内金具２１０の各第１挿通穴２１２ａと同じ間隔で形成されており、前述の鋲２１６がそれぞれ挿通可能である。第２挿通穴３１０ｅを挿通する鋲２１６によって基部材３１０は背表紙２００ａに固定される。ただし、各第２挿通穴３１０ｅの間隔を、前述の内金具２１０の挿通穴２１２ａの間隔と必ずしも同じに設定する必要はない。また、基部材３１０は溶着や接着で背表紙２００ａに固定することも可能であり、その場合、鋲２１６を用いる必要がないため、第２挿通孔３１０ｅを設ける必要もない。
【００２５】
（把持部材３２０）
把持部材３２０は、図６Ａ及び図６Ｂに示すように、手で掴むことが可能な把持部３２０ａと、把持部３２０ａを挟んでそれぞれ位置する起立部３２０ｂと、各起立部３２０ｂの基端３２０ｂ−２側にそれぞれ位置する摺動部（端部）３２０ｃと、各摺動部３２０ｃの両側部からそれぞれ幅方向に突出する係止片（端部）３２０ｄと、を備える。
【００２６】
把持部３２０ａは、薄い直方体の形状をしており、手で掴み易い形状となっている。把持部３２０ａの長手方向における両端部近傍の両側部から係合凸部３２０ａ−１がそれぞれ突出しており、これら係合凸部３２０ａ−１は、基部材３１０の山形部３１０ｄの第３突起３１０ｄ−１に係合可能である。
【００２７】
また、把持部３２０ａは、これの表面が見出し等の貼付物を貼り付け可能な平面状の貼付面３２０ａ−２となっており、貼付面３２０ａ−２の両側縁部には全長にわたって、貼付面３２０ａ−２に対して略垂直に突出する突出縁部３２０ａ−３がそれぞれ形成されている。このように構成された把持部３２０ａを手で掴んだ場合、突出縁部３２０ａ−３の高さ位置が貼付面３２０ａ−２の高さ位置よりも高くなっているため、手が触れるのは突出縁部３２０ａ−３であり、貼付面３２０ａ−２にはほとんど触れることがない。このため、貼付面３２０ａ−２に貼り付けられた貼付物の側縁部に手が触れることがないようになっている。一般的に、貼付面に貼り付けられた貼付物は周縁部から剥がれていくので、突出縁部３２０ａ−３によって、貼付物が貼付面３２０ａ−２から剥がれることが防止される。突出縁部３２０ａ−３は、手だけではなく、物が貼付物の側縁部に当接することも規制している。
【００２８】
各起立部３２０ｂは、把持部３２０ａに対して先端３２０ｂ−１側が屈曲可能に、摺動部３２０ｃに対して基端３２０ｂ−２側が屈曲可能に、それぞれ構成されている。各起立部３２０ｂには、複数の滑り止め３２０ｂ−３が各起立部３２０ｂの表面から突出するように形成されており、各滑り止め３２０ｂ−３は、各起立部３２０ｂの短手方向に伸びる直線状の形状を有する。ただし、滑り止めの形状は本実施の形態のものに限定されず、円形状のものが複数設けられていたり、格子状のものであったり、他の形状のものであってもよい。
【００２９】
各摺動部３２０ｃは、基部材３１０の開口部３１０ｂに嵌り合う方形状の形状を有しており、開口部３１０ｂに沿って摺動する。
【００３０】
各係止片３２０ｄは、各摺動部３２０ｃの両側部から肩部を形成してそれぞれ突出しており、各係止片３２０ｄの表面は、各摺動部３２０ｃの表面よりも一段低い高さ位置になっている。各係止片３２０ｄは、基部材３１０の案内溝３１０ｃにそれぞれ配置されて、案内溝３１０ｃに沿って摺動するようになっている。係止片３２０ｄの高さ寸法と、案内溝３１０ｃの深さ寸法とは略同じ大きさに設定されており、案内溝３１０ｃに配置された係止片３２０ｄの裏面と基部材３１０の裏面とは面一となる。各係止片３２０ｄの側部には、凹部（第２係合部）３２０ｄ−１がそれぞれ形成されており、各凹部３２０ｄ−１は、案内溝３１０ｃの第１突起３１０ｃ−１及び第２突起３１０ｃ−２にそれぞれ係合可能である。
【００３１】
なお、本実施形態においては、把持部材３２０を、把持部３２０ａ、起立部３２０ｂ、摺動部３２０ｃが互いに屈曲可能に構成されているものとしたが、把持部材全体が円弧状に曲がる構成を有するものとしてもよい。
【００３２】
（取っ手３００の構成方法）
以上、基部材３１０と把持部材３２０の構成について説明した。次に、基部材３１０と把持部材３２０によって構成される取っ手３００について図７Ａ〜図７Ｃを参照しながら説明する。
【００３３】
取っ手３００は、図７Ａ〜図７Ｃに示すように、把持部材３２０の摺動部３２０ｃ及び係止片３２０ｄが基部材３１０の表側から開口部３１０ｂを介して基部材３１０の裏側に挿入され、各摺動部３２０ｃが各開口部３１０ｂにそれぞれ嵌め合わせられるとともに各係止片３２０ｄが各案内溝３１０ｃにそれぞれ配置されることにより構成される。これにより、各案内溝３１０ｃにそれぞれ配置された各係止片３２０ｄは、各案内溝３１０ｃの上部の基部材３１０によって上方への移動が規制されて、抜け出ることが不可能に基部材３１０に組み付けられる。
【００３４】
（取っ手３００の作用）
このように構成された取っ手３００において、把持部材３２０は、図７Ａに示す各摺動部３２０ｃが案内溝３１０ｃに沿って互いに接近方向に摺動することにより、各起立部３２０ｂが起立して、把持部３２０ａが基部材３１０から離隔するように突出した突出状態になる。また、把持部材３２０は、図７Ｂに示す各摺動部３２０ｃが案内溝３１０ｃに沿って互いに離隔する方向に摺動することにより、各起立部３２０ｂが寝て、把持部３２０ａが基部材３１０に接近した収納状態になる。このように把持部材３２０は、突出状態と収納状態との間で、状態が切替えられる。
【００３５】
また、把持部材３２０は、図７Ａに示すように、突出状態のときに、各起立部３２０ｂを互いに接近させるように更に起立させる方向に押圧することにより、各係止片３２０ｄの凹部３２０ｄ−１が案内溝３１０ｃの第１突起３１０ｃ−１に係合して、突出状態に保持される。
【００３６】
ただし、把持部材３２０の突出状態を保持する構成としては、把持部３２０ａが基部材３１０から離隔するに従って、中央部３１０ａからピンなどが立ち上がっていき、把持部材３２０が突出状態になったときに、把持部３２０ａと中央部３１０ａとの間にピンなどが立設し、把持部材３２０を突出状態に保持するようなものにしてもよい。
【００３７】
また、把持部材３２０は、図７Ｂ及び図７Ｃに示すように、収納状態のときに、各係止片３２０ｄの凹部３２０ｄ−１が案内溝３１０ｃの第２突起３１０ｃ−２に係合するとともに、把持部３２０ａの係合凸部３２０ａ−１が山形部３１０ｄの第３突起３１０ｄ−１に係合することにより、収納状態に保持される。ただし、収納状態を保持する構成としては、各係止片３２０ｄの凹部３２０ｄ−１と案内溝３１０ｃの第２突起３１０ｃ−２との係合か、把持部３２０ａの係合凸部３２０ａ−１と山形部３１０ｄの第３突起３１０ｄ−１との係合の、どちらか一方のみの係合としてもよい。
【００３８】
このような収納状態に保持された状態において、把持部材３２０は、図７Ｃに示すように、把持部３２０ａが中央部３１０ａの両縁部３１０ａ−１に当接して、これら両縁部３１０ａ−１と山形部３１０ｄの第３突起３１０ｄ−１との間に挟まれて移動が規制されるとともに、中央部３１０ａの表面との間に隙間３４０が形成される。
【００３９】
（取っ手３００をファイル２００の背表紙に固定する方法）
このように構成された取っ手３００をファイル２００の背表紙２００ａに固定する方法について、再び、図１〜図３を参照しながら説明する。
図１及び図２に示すように、ファイル２００の背表紙２００ａに取っ手３００の基部材３１０を配置し、図３に示すように、背表紙２００ａの裏面２００ｂに内金具２１０の固定部２１２を配置する。このとき、基部材３１０の第２挿通穴３１０ｅの位置と固定部２１２の第１挿通穴２１２ａの位置とを一致させておく。この後、第２挿通穴３１０ｅと第１挿通穴２１２ａに鋲２１６を挿通させて、基部材３１０を背表紙２００ａに、固定部２１２を背表紙２００ａの裏面２００ｂに、鋲２１６によって一体に固定する。取っ手３００は、背表紙２００ａに固定されることにより、把持部材３２０の各係止片３２０ｄが各案内溝３１０ｃと背表紙２００ａとの間に挟まれた状態となり、案内溝３１０ｃから脱落不可能に基部材３１０に係止される。
【００４０】
（取っ手付きファイル１００の作用）
次に、このように構成された本実施形態に係る取っ手付きファイル１００の作用について、図１、図２、図７Ａ、図７Ｂ及び図７Ｃを参照しながら説明する。
【００４１】
取っ手付きファイル１００が、収納場所に収納されているときには、図１に示すように、把持部材３２０は、収納状態となっている。このとき、把持部材３２０は、図７Ｂに示すように、把持部３２０ａの係合凸部３２０ａ−１と山形部３１０ｄの第３突起３１０ｄ−１とが係合しているとともに、係止片３２０ｄが第２突起３１０ｃ−２に係合して、収納状態が保持されている。
【００４２】
次に、収納場所から取っ手付きファイル１００を取り出す場合、まず、基部材３１０の誘導部３１０ｆに沿って指先を移動しながら、図７Ｃに示す中央部３１０ａの表面と把持部３２０ａとの隙間３４０へ指先を挿入をする。この後、把持部３２０ａに基部材３１０から離隔する方向への力を加えると、把持部３２０ａの係合凸部３２０ａ−１と山形部３１０ｄの第３突起３１０ｄ−１との係合が解除されて、把持部３２０ａが移動自在な状態となる。また、これと同時に、各摺動部３２０ｃが基部材３１０の中央部３１０ａ方向に引っ張られて、各係止片３２０ｄの凹部３２０ｄ−１と第２突起３１０ｃ−２の係合が解除される。これにより、各係止片３２０ｄは案内溝３１０ｃに沿って移動することが可能な状態となる。
【００４３】
この後、把持部３２０ａを持って基部材３１０から更に離隔する方向に引っ張ると、各起立部３２０ｂが更に起立するとともに、各係止片３２０ｄが案内溝３１０ｃに沿って中央部３１０ａ方向に摺動する。そして、各摺動部３２０ｃが互いに最も接近した位置に移動すると、把持部材３２０は、図２に示す突出状態となる。この突出状態において、各起立部３２０ｂを互いに接近させるとともにさらに起立させる方向に押圧すると、各起立部３２０ｂが中央部３１０ａ方向に移動して、図７Ａに示すように、各係止片３２０ｄの凹部３２０ｄ−１と各案内溝３１０ｃの第１突起３１０ｃ−１とがそれぞれ係合する。これにより、把持部材３２０は突出状態に保持される。
【００４４】
この後、把持部３２０ａを掴んで収納場所から引き出すことにより、取っ手付きファイル１００を収納場所から取り出すことができる。また、この後、把持部３２０ａを掴んだまま取っ手付きファイル１００を持ち運ぶことができる。
【００４５】
次に、収納場所に取っ手付きファイル１００を収納する場合、把持部材３２０を、上記手順で、図７Ａに示す突出状態に保持する。次に、把持部３２０ａを掴んで、取っ手付きファイル１００を収納場所に収納する。この後、把持部３２０ａを基部材３１０に接近する方向に押圧して、各係止片３２０ｄの凹部３２０ｄ−１と第１突起３１０ｃ−１との係合を解除する。これにより、各係止片３２０ｄが案内溝３１０ｃに沿って摺動することが可能な状態となる。この後、把持部３２０ａが基部材３１０に接近する方向に把持部材３２０を押圧すると、各起立部３２０ｂが寝るため、両摺動部３２０ｃ、３２０ｃが互いに離隔する方向に移動する。そして、把持部３２０ａが更に基部材３１０に接近する方向に把持部材３２０を押圧すると、把持部３２０ａの係合凸部３２０ａ−１が山形部３１０ｄの第３突起３１０ｄ−１に係合するとともに、各係止片３２０ｄの凹部３２０ｄ−１が第２突起３１０ｃ−２にそれぞれ係合する。これにより、把持部材３２０が収納状態に保持される。
【００４６】
以上説明したように、本実施形態によれば、取っ手付きファイル１００を収納場所から引き出したり持ち運んだりする際には、把持部材３２０を突出状態にし、収納した後は把持部材３２０を収納状態にすることができるため、取っ手付きファイル１００の収納場所からの取出し及び持ち運びが容易になるとともに、収納された後も取っ手３００が収納の邪魔になることがない。
【００４７】
本考案は、その要旨または主要な特徴から逸脱することなく、他の様々な形で実施することができる。そのため、前述の実施の形態は、あらゆる点で単なる例示に過ぎず、限定的に解釈してはならない。本考案の範囲は、実用新案登録請求の範囲によって示すものであって、明細書本文には、何ら拘束されない。更に、実用新案登録請求の範囲の均等範囲に属する全ての変形、様々な改良、代替および改質は、全て本考案の範囲内のものである。
【符号の説明】
【００４８】
１００  取っ手付きファイル
２００  ファイル
２００ａ  背表紙
２１０  内金具
３００  取っ手
３１０  基部材
３１０ｃ  案内溝
３１０ｃ−１  第１突起（第１係合部）
３１０ｃ−２  第２突起（第１係合部）
３１０ｄ−１  第３突起（第３係合部）
３１０ｆ  誘導部（傾斜面）
３２０  把持部材
３２０ａ−２  貼付面
３２０ａ−３  突出縁部
３２０ｂ−３  滑り止め
３２０ｃ  摺動部（端部）
３２０ｄ  係止片（端部）
３２０ｄ−１  凹部（第２係合部）
３４０  隙間
【図５Ｂ】
0003185847.tif 000003
【図５Ｃ】
0003185847.tif 000004
【図５Ｄ】
0003185847.tif 000005
【図６Ａ】
0003185847.tif 000006
【図６Ｂ】
0003185847.tif 000007
【図７Ｃ】
0003185847.tif 000008
【図１】
0003185847.tif 000009
【図２】
0003185847.tif 000010
【図３】
0003185847.tif 000011
【図４】
0003185847.tif 000012
【図５Ａ】
0003185847.tif 000013
【図７Ａ】
0003185847.tif 000014
【図７Ｂ】
0003185847.tif 000015